(57)【要約】【課題】意匠性が低下することのないレシーバーカバーと、レシーバ保持部へのレシーバの固定作業性が良いレシーバーホルダーとを提供する。【解決手段】中央に円形開口部を有するレシーバーカバー１１ａとレシーバーカバー１１ａの裏側に立設した薄肉側面部１１ｂと基底部１１ｄとを備えたレシーバ下部保持部１１と、側面部１２ｂと背面部１２ｒと基底部１２ｄとを備えたレシーバ上部保持部１２と、両保持部を連結するヒンジ部１３とから成るレシーバーホルダー１０のその側面部１１ｂに係止部１１ｎを形成しかつ側面部１２ｂにこれと係合可能な係止部１２ｎを形成し、かつ側面部１２ｂと背面部１２ｒにレシーバ４０の円筒部４０ｈを押さえる押さえｇ１１〜ｇ１４を備えかつ基底部１１ｄに押さえｇ２、ｇ３を備えるようにした。【選択図】図２
2010132139.tif 000002
【特許請求の範囲】
【請求項１】
中央に円形開口部を有するレシーバーカバーと該レシーバーカバーの裏側に前記円形開口部を挟んで互いに間隔を隔てて立設した側面部と基底部とを備えたレシーバ下部保持部と、両側面部と背面部と基底部とを備えたレシーバ上部保持部と、前記レシーバ上部保持部と前記レシーバ下部保持部と連結する折り畳み可能なヒンジ部とから成るレシーバーホルダーであって、前記レシーバ下部保持部の前記側面部に係止部を形成しかつ前記レシーバ上部保持部の前記側面部に前記係止部と係合可能な対応係止部を形成したことを特徴とするレシーバーホルダー。
【請求項２】
前記レシーバ下部保持部の前記側面部が薄肉長尺状物をしており、前記側面部の薄肉部で前記レシーバーカバーの裏側に立設されることを特徴とする請求項１記載のレシーバーホルダー。
【請求項３】
前記レシーバ上部保持部の前記両側面部と前記背面部にレシーバの円筒部を押さえる押さえをそれぞれ備えたことを特徴とする請求項２記載のレシーバーホルダー。
【請求項４】
前記レシーバ下部保持部の前記基底部にレシーバの円筒部を押さえる押さえを複数個備えたことを特徴とする請求項３記載のレシーバーホルダー。
【発明の詳細な説明】
【技術分野】
【０００１】
本発明は、自動車用ルームランプ内の盗難防止装置用レシーバのレシーバーホルダーに関するもので、特にレシーバーホルダーの正面に位置する樹脂製レシーバーカバーのヒケ発生を防止しかつ安定に保持できるレシーバーホルダーに関するものである。
【背景技術】
【０００２】
盗難防止装置用レシーバとしては、従来より、例えば特許文献１に開示されている図８のようなものがあった。
図８は従来の盗難防止装置用レシーバを説明する図で、（ａ）は自動車全体の平面図、（ｂ）は盗難防止装置用レシーバ（焦電形センサ）を支持する装置の斜視図である。盗難防止装置用レシーバは図８（ａ）に示すように車室の天井中央のルームランプ７０内に２個の盗難防止装置用レシーバを設置し、それぞれ車内の右側と左側用として用いられている。
図８（ｂ）において、ブラケット７０ｂに盗難防止装置用レシーバ（以後、単にレシーバと言う）４０Ｌ、４０Ｒを備えたレシーバーホルダー６０を取り付け、このブラケット７０ｂをルームランプ７０と共締めによって図８（ａ）に示すよう車室の天井の中央に設置していた。
【特許文献１】実開平６−４２４７２号公報
【０００３】
図９は２個のレシーバを保持するレシーバーホルダーを説明する側面図である。図９において、レシーバーホルダー６０はそれぞれ左右の側面に円筒状のレシーバ保持部６１Ｌ、６１Ｒを成形し、レシーバ４０Ｌ、４０Ｒはレシーバ固定部６２Ｌ、６２Ｒによって円筒状のレシーバ保持部６１Ｌ、６１Ｒに仮セットされ、分割されたレシーバーホルダー６０を嵌合して固定している。
【発明の開示】
【発明が解決しようとする課題】
【０００４】
〈３つの問題点〉
しかしながら、円筒状のレシーバ保持部６１Ｌ、６１Ｒの一部がそれぞれ樹脂製のレシーバーカバー６３Ｌ、６３Ｒを形成した場合、円筒状のレシーバ保持部６１Ｌ、６１Ｒが側面に位置するレシーバーカバー６３Ｌ、６３Ｒの部位が樹脂厚が均等にならず、ヒケが生じて意匠性が低下する、といった問題が発生した。
また、レシーバーホルダー６０が分割しているため、レシーバーホルダー６０のレシーバーカバーに継ぎ目があり、意匠性が低下する、といった問題が発生した。
さらに、レシーバ４０Ｌ、４０Ｒは円筒状のレシーバ保持部６１Ｌ、６１Ｒの１点支持であるため、レシーバ４０Ｌ、４０Ｒの安定性に欠き、円筒状のレシーバ保持部６１Ｌ、６１Ｒへのレシーバ４０Ｌ、４０Ｒの固定作業性が悪い、といった問題もあった。
【０００５】
〈本発明の目的〉
本発明はこれらの問題を解消するためになされたもので、意匠性が低下することのない、かつ、レシーバ保持部へのレシーバの固定作業性が良いレシーバーホルダーを提供することを目的としている。
【課題を解決するための手段】
【０００６】
上記目的を達成するために、第１の発明はレシーバーホルダーに係り、中央に円形開口部を有するレシーバーカバーと該レシーバーカバーの裏側に前記円形開口部を挟んで互いに間隔を隔てて立設した側面部と基底部とを備えたレシーバ下部保持部と、両側面部と背面部と基底部とを備えたレシーバ上部保持部と、前記レシーバ上部保持部と前記レシーバ下部保持部と連結する折り畳み可能なヒンジ部とから成るレシーバーホルダーであって、前記レシーバ下部保持部の前記側面部に係止部を形成しかつ前記レシーバ上部保持部の前記側面部に前記係止部と係合可能な対応係止部を形成したことを特徴とするものである。
このように構成することにより、上部保持部と下部保持部を重ねるだけでよいのでレシーバの固定作業性を良くすることができ、しかもレシーバが上部保持部と下部保持部とで囲まれるので保持安定性が良くなる。
【０００７】
第２の発明は請求項１記載のレシーバーホルダーにおいて、前記レシーバ下部保持部の前記側面部が薄肉長尺状物をしており、前記側面部の薄肉部で前記レシーバーカバーの裏側に立設されることを特徴とするものである。
このように構成することにより、レシーバーカバーに形成される側面部が（従来の厚肉円筒状と違って）薄肉部分なので射出成形時の厚み差に起因するヒケが生じにくくなり、意匠性が低下するのを防止することができる。
【０００８】
第３の発明は請求項２記載のレシーバーホルダーにおいて、前記レシーバ上部保持部の前記両側面部と前記背面部にレシーバの円筒部を押さえる押さえをそれぞれ備えたことを特徴とするものであり、第４の発明は請求項３記載のレシーバーホルダーにおいて、前記レシーバ下部保持部の前記基底部にレシーバの円筒部を押さえる押さえを複数個備えたことを特徴とするものである。
このように構成することにより、レシーバが（従来の１点支持と違って）多点支持されるのでレシーバ保持部へのレシーバの固定作業性を良くすることができる。
【発明の効果】
【０００９】
以上のように、本発明によれば、意匠性が低下することのない、かつ、レシーバ保持部へのレシーバの固定作業性が良いレシーバーホルダーが得られるようになる。
【発明を実施するための最良の形態】
【００１０】
以下、本発明に係る自動車用ルームランプのレシーバーホルダーについて説明する。
〈本発明に係るレシーバーホルダーの概略説明〉
図１は本発明に係るレシーバーホルダーの全体を示す斜視図で、（ａ）はレシーバーホルダーを開いた状態での正面斜め上側から、（ｂ）はレシーバーホルダーを開いた状態での裏面斜め上側から見た図である。
図１において、１０はレシーバーホルダー、１１はレシーバ下部保持部、１２はレシーバ上部保持部、１３はヒンジ部である。本発明に係るレシーバーホルダー１０はレシーバ下部保持部１１と、レシーバ上部保持部１２と、この両保持部１１と１２を折り重ね自在に連結するヒンジ部１３とから構成されている。
【００１１】
〈レシーバーホルダーへのレシーバーの保持〉
図１のレシーバーホルダーにレシーバーを保持させるには、図２および図３のようにして行われる。
図２は図１（ａ）のレシーバーホルダーにレシーバーを保持させた状態を説明する斜視図で、（ａ）は仮保持状態、（ｂ）は保持状態を示している。
図３は図１（ｂ）のレシーバーホルダーにレシーバーを保持させた状態を説明する斜視図で、（ａ）は仮保持状態、（ｂ）は保持状態を示している。
両図において、まず、レシーバ上部保持部１２にレシーバー４０を仮保持させ、ヒンジ部１３の真ん中の折り返し部１３ｓで折り返すとレシーバ下部保持部１１の上にレシーバ上部保持部１２が重なり、レシーバ上部保持部１２に形成されている係止爪１２ｎ（図２（ａ））がレシーバ下部保持部１１に形成されている係止孔１１ｎ（図３（ａ））に係合してレシーバ下部保持部１１とレシーバ上部保持部１２がしっかり固定され、したがってまた、レシーバー４０もレシーバ下部保持部１１とレシーバ上部保持部１２との間で堅固に固定されるようになる。
以下、本発明に係るレシーバ下部保持部１１とレシーバ上部保持部１２について図４〜図７に基づいて説明する。
【００１２】
図４は、レシーバと本発明に係るレシーバ上部保持部を示す後部上方からの斜視図であり、（ａ）はレシーバの斜視図で、（イ）正面斜め側と（ロ）後部斜め側から見た図、（ｂ）はレシーバ上部保持部１２の電線保持部を後部斜め側から見た拡大斜視図である。
【００１３】
〈レシーバ４０の形状〉
レシーバ４０の形状は図４（ａ）から判るように、主要部品が内蔵される円筒部４０ｈと円筒部４０ｈの裏側から突出する電線４０ｃとで構成される形状をしている。
【００１４】
〈レシーバ下部保持部１１の全体の形状〉
図５はレシーバ上部保持部とレシーバ下部保持部のそれぞれの内側を示す斜視図で、（ａ）はレシーバ上部保持部にレシーバを仮保持したレシーバホルダーのレシーバ下保持部の内側の形状を示す斜視図、（ｂ）はレシーバ上部保持部の内側の形状を示す斜視図である。
図５（ａ）において、レシーバ下部保持部１１は意匠部を備えたレシーバーカバー１１ａを前面に備えており、そのレシーバーカバー１１ａの中央に開口部１１ｈ（図１）が形成され、開口部１１ｈの大きさはレシーバ４０の円筒部４０ｈの正面の円形に一致している。レシーバーカバー１１ａの裏側両端部に薄肉の側面部１２ｂがそれぞれ互いに平行にレシーバーカバー１１ａに連接した後互いに間隔を狭めながら斜めに延び、再び互いに狭くなったまま平行に延びている。底面には基底部１１ｄが側面部１２ｂの下方に連接している。
【００１５】
〈レシーバ下部保持部１１の内側の形状〉
レシーバ下部保持部１１の内側は、図５（ａ）に示すように、レシーバーカバー１１ａと、レシーバーカバー１１ａの裏側両端部からそれぞれ互いに対向して延びる側面部１１ｂと、底面の基底部１１ｄとで囲まれており、その基底部１１ｄ上の両側面部１１ｂの近傍に２箇所のガタ押さえｇ２、ｇ２と、これら２個のガタ押さえｇ２、ｇ２の中間の後方にもう１つのガタ押さえｇ３が形成されている。
【００１６】
〈レシーバ上部保持部１２の全体の形状〉
図４（ｂ）および図５（ｂ）において、レシーバ上部保持部１２は、対向する両側面部１２ｂ、１２ｂと、背面部１２ｒと、基底部１２ｄ（図５（ｂ））と、両側面部１２ｂと基底部１２ｄとを斜めに連接する斜面部１２ｋ（図５（ｂ））と、を備えており、表側は壁面のない開放部となっていて、ここにレシーバ４０（図４（ａ））が仮保持される（図５（ａ）参照）。
【００１７】
〈レシーバ上部保持部１２の背面部１２ｒの形状〉
レシーバ上部保持部１２の背面部１２ｒには、図４（ｂ）および図５（ｂ）に示すように、上方中央から真下中央に延びる電線通過口１２ｐが設けられ、その先端から真横に延びる電線保持開口部１２ｓが設けられている。電線保持開口部１２ｓにはレシーバ４０の電線４０ｃが通過する（図５（ａ））。電線通過口１２ｐと電線保持開口部１２ｓとの交点にそれぞれ電線保持突起１２ｔ、１２ｔが形成されている。
【００１８】
〈レシーバ上部保持部１２の内側の形状〉
図５（ｂ）において、レシーバ上部保持部１２の内側は、対向する両側面部１２ｂ１、１２ｂ２と、背面部１２ｒと、基底部１２ｄと、両側面部１２ｂと基底部１２ｄとを斜めに連接する斜面部１２ｋ（図５（ｂ））とで囲まれており、背面部１２ｒと同じ背丈の高い側面部１２ｂ１（図で右側）の上方と中段の高さにそれぞれ押さえ部ｇ１１とｇ１４が形成され、ヒンジ部側の背丈の低い側面部１２ｂ２（図で左側）の前記中段の高さに押さえ部ｇ１３が形成され、同じく背面部１２ｒの前記中段の高さに押さえ部ｇ１２が形成されている。
【００１９】
〈レシーバ上部保持部１２へのレシーバー４０の保持〉
図６は図５（ａ）の状態を異なる位置から示す図で、図６（ａ）は正面図、（ｂ）は（ａ）のＡ−Ａ矢視断面図、（ｃ）は背面図である。レシーバ上部保持部１２へ保持されたレシーバー４０は、（ａ）で示すように、側面部１２ｂ１の上方の押さえ部ｇ１１と中段の押さえ部ｇ１４と側面部１２ｂ２の中段の押さえ部ｇ１３と、（ｂ）で示す背面部１２ｒの押さえ部ｇ１２との都合４点で支持されている。
【００２０】
〈レシーバー電線４０ｃの保持〉
また、レシーバー４０の電線４０ｃは図６（ｂ）および（ｃ）に示すように、背面部１２ｒ（図４（ｂ）参照）の電線通過口１２ｐを通って電線保持開口部１２ｓに案内され、外れないように電線保持突起１２ｔ、１２ｔによって電線保持開口部１２ｓ内にしっかりと保持されている。
【００２１】
〈レシーバ下部保持部１１上へのレシーバ上部保持部１２のセット〉
図６（ｃ）でレシーバ上部保持部１２にレシーバー４０を仮保持した後、ヒンジ部１３の真ん中の折り返し部１３ｓで折り返すとレシーバ下部保持部１１の上にレシーバ上部保持部１２が重なり、レシーバ上部保持部１２に形成されている係止爪１２ｎがレシーバ下部保持部１１に形成されている係止孔１１ｎに係合してレシーバ下部保持部１１とレシーバ上部保持部１２が固定される。
図７はこの状態を示す図で、（ａ）は平面図、（ｂ）は（ａ）のＢ−Ｂ矢視断面図、（ｃ）は（ａ）のＣ−Ｃ矢視断面図である。図７において、レシーバ４０はレシーバ上部保持部１２の押さえｇ１（ｇ１１、ｇ１２、ｇ１３）とレシーバ下部保持部１１の内側基底部上の３箇所のガタ押さえｇ２、ｇ２、ｇ３によってガタなく確実にセットされる。
【００２２】
このように、本発明によれば、レシーバーカバー１１ａの裏側両端部に形成される側面部１２ｂが（従来の厚肉円筒状と違って）薄肉から成るので射出成形時の厚み差に起因するヒケが生じにくくなり、意匠性が低下することがなくなる。
また、レシーバが（従来の１点支持と違って）上下の保持部によって多点支持されるのでレシーバ保持部へのレシーバの固定作業性が良くなる。
【図面の簡単な説明】
【００２３】
【図１】本発明に係るレシーバーホルダーの全体を示す斜視図で、（ａ）はレシーバーホルダーを開いた状態での正面斜め上側から、（ｂ）はレシーバーホルダーを開いた状態での裏面斜め上側から見た図である。
【図２】図１（ａ）のレシーバーホルダーにレシーバーを保持させた状態を説明する斜視図で、（ａ）は仮保持状態、（ｂ）は保持状態を示している。
【図３】図１（ｂ）のレシーバーホルダーにレシーバーを保持させた状態を説明する斜視図で、（ａ）は仮保持状態、（ｂ）は保持状態を示している。
【図４】レシーバと本発明に係るレシーバ上部保持部を示す後部上方からの斜視図であり、（ａ）はレシーバの斜視図で、（イ）正面斜め側と（ロ）後部斜め側から見た図、（ｂ）はレシーバ上部保持部１２の電線保持部を後部斜め側から見た拡大斜視図である。
【図５】レシーバ上部保持部とレシーバ下部保持部のそれぞれの内側を示す斜視図で、（ａ）はレシーバ上部保持部にレシーバを仮保持したレシーバホルダーのレシーバ下保持部の内側の形状を示す斜視図、（ｂ）はレシーバ上部保持部の内側の形状を示す斜視図である。
【図６】図５（ａ）の状態を異なる位置から示す図で、図６（ａ）は正面図、（ｂ）は（ａ）のＡ−Ａ矢視断面図、（ｃ）は背面図である。
【図７】レシーバ下保持部の上にレシーバ上部保持部が重ねられてセットされた状態を示す図で、（ａ）は平面図、（ｂ）は（ａ）のＢ−Ｂ矢視断面図、（ｃ）は（ａ）のＣ−Ｃ矢視断面図である。
【図８】従来の盗難防止装置用レシーバを説明する図で、（ａ）は自動車全体の平面図、（ｂ）は盗難防止装置用レシーバ（焦電形センサ）を支持する装置の斜視図である。
【図９】２個のレシーバを保持するレシーバーホルダーを説明する側面図である。
【符号の説明】
【００２４】
１０  レシーバーホルダー
１１  レシーバ下部保持部
１１ａ  レシーバーカバー
１１ｈ  開口部
１１ｎ  係止孔
１２  レシーバ上部保持部
１２ｂ  薄肉側面部
１２ｄ  基底部
１２ｋ  斜面部
１２ｎ  係止爪
１２ｐ  電線通過口
１２ｒ  背面部
１２ｓ  電線保持開口部
１２ｔ  電線保持突起
１３  ヒンジ部
１３ｓ  折り返し部
４０  レシーバー
４０ｃ  電線
４０ｈ  円筒部
ｇ１１〜ｇ１４  押さえ部
ｇ２、ｇ３  ガタ押さえ
【図１】
2010132139.tif 000003
【図２】
2010132139.tif 000004
【図３】
2010132139.tif 000005
【図４】
2010132139.tif 000006
【図５】
2010132139.tif 000007
【図６】
2010132139.tif 000008
【図７】
2010132139.tif 000009
【図８】
2010132139.tif 000010
【図９】
2010132139.tif 000011